(57)【特許請求の範囲】
【請求項１】
照明装置と、該照明装置の光出射面側に重ねて配置された表示パネルと、を有する表示装置であって、
前記照明装置は、
導光板と、
該導光板の側端面のうち、光入射部とされた側端面に発光面を向けて前記光入射部に沿って配列された複数の発光素子と、
前記光入射部に沿って延在し、前記複数の発光素子が一方面側に実装された光源用基板と、
該光源用基板の他方面が面接触される基板保持面を有し、前記光入射部に沿って延在する金属製の光源支持部材と、
前記光源支持部材および前記導光板の外側に配置され、前記光源支持部材との間に当該光源支持部材に沿って通された閉鎖空間を構成する側板部を備えたフレームと、
を有し、
前記照明装置には、前記閉鎖空間を外部に通連させる開口部が設けられて前記複数の発光素子の熱を逃がし、
前記開口部は、前記フレームの前記側板部のうち、前記閉鎖空間の延長線が突き当たる位置に配置された側板部に設けられていることを特徴とする表示装置。
【請求項２】
前記閉鎖空間は、前記表示装置の下方に形成されていることを特徴とする請求項１に記載の表示装置。
【請求項３】
前記閉鎖空間は、前記表示装置の下側へ向けて前記閉鎖空間から開口する貫通部を更に有する請求項２に記載の表示装置。
【請求項４】
前記導光板を前記光出射面とは反対側で支持する金属製の第１フレームと、
前記表示パネルを保持し、前記光源支持部材の前記光出射面側を覆う端板部を有する樹脂製の第２フレームと、
が設けられ、
前記第１フレームおよび前記第２フレームの少なくとも一方が前記フレームとされており、
前記第１フレームおよび前記第２フレームの少なくとも一方に前記開口部が設けられていることを特徴とする請求項１ないし３のいずれかに記載の表示装置。
【請求項５】
前記導光板を前記光出射面とは反対側で支持する金属製の第１フレームと、
前記表示パネルの前記光出射面側を覆うとともに、前記第１フレームとの間で前記光源支持部材を挟んで配置される第３フレームと、
が設けられ、
前記第１フレームおよび前記第３フレームの少なくとも一方が前記フレームとされており、
前記第１フレームおよび前記第３フレームの少なくともいずれか一方に前記開口部が備えられていることを特徴とする請求項１ないし３のいずれかに記載の表示装置。
【請求項６】
前記光源用基板は、前記一方面が前記光入射部に対向していることを特徴とする請求項１乃至５の何れか一項に記載の表示装置。
【請求項７】
請求項１乃至６の何れか一項に記載の表示装置を備えていることを特徴とする電子機器。
【請求項８】
導光板と、
該導光板の側端面のうち、光入射部とされた側端面に発光面を向けて前記光入射部に沿って配列された複数の発光素子と、
前記光入射部に沿って延在し、前記複数の発光素子が一方面側に実装された光源用基板と、
該光源用基板の他方面が面接触される基板保持面を有し、前記光入射部に沿って延在する金属製の光源支持部材と、
前記光源支持部材及び前記導光板の外側に配置され、前記光源支持部材との間で、前記光入射部に沿って通された閉鎖空間を構成する側板部を有したフレームと、
前記閉鎖空間を外部に通連させて前記複数の発光素子の熱を逃がす開口部と、
を有し、
前記開口部は、前記フレームの前記側板部のうち、前記閉鎖空間の延長線が突き当たる位置に配置された側板部に設けられていることを特徴とする照明装置。
【発明の詳細な説明】
【技術分野】
【０００１】
本発明は、照明装置および表示パネルを備えた表示装置、該表示装置を備えた電子機器、および当該照明装置に関するものである。
【背景技術】
【０００２】
各種の表示装置のうち、液晶装置は、バックライト装置と称せられる照明装置と、この照明装置の光出射面の側に重ねて配置された透過型や半透過型の表示パネル（液晶パネル）とを有しており、照明装置では、導光板の側端面のうち、光入射部とされる側端面に沿って複数の発光素子が設けられている（特許文献１〜３参照）。
【０００３】
かかる構成の照明装置において、発光素子の温度が上昇すると、発光素子における発光効率の低下、輝度ムラ、寿命低下が発生する。従って、発光素子が実装された光源用基板に金属製の光源支持部材を設け、光源支持部材を介して熱を逃がすことが好ましい。
【先行技術文献】
【特許文献】
【０００４】
【特許文献１】特開２００２−２２９０２２号公報
【特許文献２】特開２００９−３０８１号公報
【特許文献３】特開２０１１−４０３８８号公報
【発明の概要】
【発明が解決しようとする課題】
【０００５】
照明装置を組み立てる際、照明装置単体を機器に取り付ける際、あるいは照明装置に対して表示パネルを設けて表示装置を構成する際、光源支持部材や導光板等をフレームに収納しておくことが好ましく、かかるフレームには、少なくとも一部として、光源支持部材に上側で被さる端板部や、光源支持部材と導光板とを外側で囲む側板部を備えたフレームが用いられることが多い。かかるフレームによれば、各部材の位置決め部等を設けることが容易であるため、組み立て作業の効率化を図ることができるとともに、部材相互の位置精度を高めることができる。
【０００６】
しかしながら、照明装置においては発光素子からの放熱が重要であるにもかかわらず、フレームを用いると、発光素子からの放熱性が低下するという問題点がある。
【０００７】
以上の問題点に鑑みて、本発明の課題は、発光素子や導光板の周りにフレームを設けた場合でも発光素子の熱を効率よく逃がすことのできる表示装置、該表示装置を備えた電子機器、および照明装置を提供することにある。
【課題を解決するための手段】
【０００８】
上記課題を解決するために、本発明は、照明装置と、該照明装置の光出射面側に重ねて配置された表示パネルと、を有する表示装置であって、前記照明装置は、導光板と、該導光板の側端面のうち、光入射部とされた側端面に発光面を向けて前記光入射部に沿って配列された複数の発光素子と、前記光入射部に沿って延在し、前記複数の発光素子が一方面側に実装された光源用基板と、該光源用基板の他方面が面接触される基板保持面を有し、前記光入射部に沿って延在する金属製の光源支持部材と、前記光源支持部材および前記導光板の外側に配置され、前記光源支持部材との間に当該光源支持部材に沿って通された閉鎖空間を構成する側板部を備えたフレームと、を有し、前記照明装置には、前記閉鎖空間を外部に通連させる開口部が設けられていることを特徴とする。
【０００９】
本発明において、照明装置は、導光板の光入射部に沿って複数の発光素子が配列され、かかる複数の発光素子は、光入射部に沿って延在する光源用基板の一方面側に実装されている。ここで、光源用基板の他方面側に金属製の光源支持部材が重ねて配置されているため、発光素子の熱を光源用基板および光源支持部材を介して逃がすことができる。また、本発明では、組み立て作業の高効率化や、部材相互の位置精度の向上等の目的で、側板部を備えたフレームが用いられている。但し、照明装置には、閉鎖空間を外部に通連させる開口部が設けられているため、発光素子の熱を閉鎖空間および開口部を介して逃がすことができる。それ故、本発明によれば、フレームを用いた場合でも発光素子の熱を効率よく逃がすことができる。
【００１０】
本発明において、前記導光板を前記光出射面とは反対側で支持する金属製の第１フレームと、前記表示パネルを保持し、前記光源支持部材の前記光出射面側を覆う端板部を有する樹脂製の第２フレームと、が設けられ、前記第１フレームおよび前記第２フレームの少なくとも一方が前記フレームとされており、前記第１フレームおよび前記第２フレームの少なくとも一方に前記開口部が設けられている構成を採用することができる。本発明では、組み立て作業の高効率化や、部材相互の位置精度の向上等の目的で、樹脂製の第２フレームが用いられているが、上記のフレーム（第１フレームおよび第２フレーム）の少なくとも一方に開口部が設けられているため、発光素子の熱を閉鎖空間および開口部を介して逃がすことができる。それ故、本発明によれば、樹脂製の第２フレームを用いた場合でも発光素子の熱を効率よく逃がすことができる。
【００１１】
この場合、前記第２フレームが前記フレームとされており、前記第１フレームは、当該第２フレームの前記側板部に重なる側板部を備え、前記第１フレームには、前記第２フレームの前記開口部と重なる位置で当該第１フレームの前記側板部を貫通する開口部が設けられていることが好ましい。かかる構成によれば、発光素子の熱を閉鎖空間、第２フレームの開口部（フレームの開口部）、および第１フレームの開口部を介して逃がすことができる。
【００１２】
本発明において、前記第２フレームの前記端板部に外側で重なる端板部、および前記第２フレームの前記側板部に外側で重なる側板部を備えた第３フレームを有し、前記第３フレームには、前記第２フレームの前記開口部と重なる位置で当該第３フレームの前記側板部を貫通する開口部が設けられていることが好ましい。かかる構成によれば、発光素子の熱を閉鎖空間、第２フレームの開口部（フレームの開口部）、第１フレームの開口部、および第３フレームの開口部を介して逃がすことができる。
【００１３】
本発明において、前記導光板を前記光出射面とは反対側で支持する金属製の第１フレームと、前記表示パネルの前記光出射面側を覆うとともに、前記第１フレームとの間で前記光源支持部材を挟んで配置される第３フレームと、が設けられ、前記第１フレームおよび前記第３フレームの少なくとも一方が前記フレームとされており、前記第１フレームおよび前記第３フレームの少なくともいずれか一方に前記開口部が備えられている構成を採用することができる。本発明では、組み立て作業の高効率化や、部材相互の位置精度の向上等の目的で、上記のフレーム（第１フレームおよび第３フレーム）が用いられているが、かかるフレームの少なくとも一方に開口部が設けられているため、発光素子の熱を閉鎖空間および開口部を介して逃がすことができる。
【００１４】
本発明において、前記開口部は、前記フレームの前記側板部のうち、前記閉鎖空間の延長線が突き当たる位置に配置された側板部に設けられている構成を採用することができる。かかる構成によれば、閉鎖空間に空気の出入りが発生しやすいので、発光素子の熱を閉鎖空間および開口部を介して効率よく逃がすことができる。
【００１５】
本発明において、前記開口部は、前記フレームの前記側板部のうち、前記閉鎖空間を構成している部分に形成されている構成を採用してもよい。
【００１６】
本発明において、前記開口部は、前記閉鎖空間の延在方向で離間する複数個所に設けられていることが好ましい。かかる構成によれば、閉鎖空間に空気の出入りが発生しやすいので、発光素子の熱を閉鎖空間および開口部を介して効率よく逃がすことができる。
【００１７】
本発明において、前記開口部の開口面積は、前記閉鎖空間の開口面積以上であることが好ましい。かかる構成によれば、発光素子の熱を閉鎖空間および開口部を介して効率よく逃がすことができる。
【００１８】
本発明において、前記開口部は、前記フレームの前記側板部の延在方向に所定の幅寸法を有していることが好ましい。かかる構成によれば、開口部がスリット状の隙間と違って開口面積が大であるので、発光素子の熱を閉鎖空間および開口部を介して効率よく逃がすことができる。
【００１９】
本発明において、前記導光板の側端面のうち、対向する２つの側端面が前記光入射部になっており、当該２つの側端面に対応する２個所に前記閉鎖空間および前記開口部が設けられている構成を採用することができる。
【００２０】
この場合、前記２個所に設けられた前記閉鎖空間のうち、一方の前記閉鎖空間に設けられた前記開口部は、前記フレームの前記側板部のうち、前記閉鎖空間を構成する部分に形成され、他方の前記閉鎖空間に設けられた前記開口部は、前記フレームの前記側板部のうち、前記閉鎖空間の延長線が突き当たる位置に配置された側板部に設けられている構成を採用することができる。かかる構成によれば、表示装置の使用態様に最適な条件に第２フレームの開口部の位置や開口方向を設定することができる。
【００２１】
本発明において、前記光源用基板は、前記一方面が前記光入射部に対向している構成を採用することができる。また、本発明は、前記光源用基板において、前記一方面が前記光入射部に対して交差する方向に向いている場合に適用してもよい。
【００２２】
本発明に係る表示装置は、テレビ等の各種電子機器に用いることができる。
【００２３】
また、本発明に係る照明装置は、導光板と、該導光板の側端面のうち、光入射部とされた側端面に発光面を向けて前記光入射部に沿って配列された複数の発光素子と、前記光入射部に沿って延在し、前記複数の発光素子が一方面側に実装された光源用基板と、該光源用基板の他方面が面接触される基板保持面を有し、前記光入射部に沿って延在する金属製の光源支持部材と、前記光源支持部材及び前記導光板の外側に配置され、前記光源支持部材との間で、前記光入射部に沿って通された閉鎖空間を構成する側板部を有したフレームと、前記閉鎖空間を外部に通連させる開口部と、が設けられていることを特徴とする。
【００２４】
本発明において、照明装置は、導光板の光入射部に沿って複数の発光素子が配列され、かかる複数の発光素子は、光入射部に沿って延在する光源用基板の一方面側に実装されている。ここで、光源用基板の他方面側に金属製の光源支持部材が重ねて配置されているため、発光素子の熱を光源用基板および光源支持部材を介して逃がすことができる。また、本発明では、組み立て作業の高効率化や、部材相互の位置精度の向上等の目的で、側板部を備えたフレームが用いられている。但し、照明装置には、閉鎖空間を外部に通連させる開口部が設けられているため、発光素子の熱を閉鎖空間および開口部を介して逃がすことができる。それ故、本発明によれば、フレームを用いた場合でも発光素子の熱を効率よく逃がすことができる。
【図面の簡単な説明】
【００２５】
【図１】本発明の実施の形態１に係る表示装置を備えた液晶テレビ（電子機器）の説明図である。
【図２】本発明の実施の形態１に係る表示装置の全体構成を示す説明図である。
【図３】本発明の実施の形態１に係る表示装置をさらに細かく分解したときの分解斜視図である。
【図４】本発明の実施の形態１に係る表示装置の要部の断面図である。
【図５】本発明の実施の形態１に係る表示装置の要部の断面図である。
【図６】本発明の実施の形態１に係る表示装置の照明装置に用いた発光素子および光源用基板等の説明図である。
【図７】本発明の実施の形態２に係る表示装置の照明装置の説明図である。
【図８】本発明の実施の形態２に係る表示装置をさらに細かく分解したときの分解斜視図である。
【図９】本発明の実施の形態２に係る変形例の表示装置をさらに細かく分解したときの分解斜視図である。
【図１０】本発明の実施の形態３に係る表示装置の照明装置に設けた貫通部の説明図である。
【図１１】本発明の実施の形態４に係る表示装置の照明装置に設けた貫通部の説明図である。
【図１２】本発明の実施の形態５に係る表示装置の照明装置に設けた貫通部の説明図である。
【図１３】本発明の実施の形態６に係る表示装置の要部の断面図である。
【発明を実施するための形態】
【００２６】
図面を参照して、液晶テレビ用の表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向の一方（図に示す導光板や液晶パネルの長辺が延在する方向）をＸ軸方向および他方（図に示す導光板や液晶パネルの短辺が延在する方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側をＸ１側とし、他方側をＸ２側とし、Ｙ軸方向の一方側（液晶パネルの張り出し部分が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００２７】
［実施の形態１］
（全体構成）
図１は、本発明の実施の形態１に係る表示装置を備えた液晶テレビ（電子機器）の説明図であり、図１（ａ）は液晶テレビの外観を模式的に示す説明図、図１（ｂ）は表示装置の電気的構成を示すブロック図である。
【００２８】
図１（ａ）に示す電子機器２０００は液晶テレビであり、表示装置１００やテレビ用のフレーム２０１０等を有している。表示装置１００は、図１（ｂ）に示すように、図２等を参照して後述する表示パネル１０（液晶パネル）と、外部からフレキシブル配線基板を介して表示パネル１０に画像信号を供給する画像信号供給部２７０と、表示パネル１０の背面に重ねて配置されて照明光を供給する照明装置８とを有している。また、表示装置１００は、表示パネル１０においてＸ軸方向に延在する走査線を駆動する走査線駆動回路１０４と、表示パネル１０においてＹ軸方向に延在するデータ線を駆動するデータ線駆動回路１０１とを有している。走査線駆動回路１０４およびデータ線駆動回路１０１については、双方が表示パネル１０に内蔵された構成を採用することができる。また、走査線駆動回路１０４およびデータ線駆動回路１０１のうちの一方が表示パネル１０に内蔵され、他方が表示パネル１０にＣＯＧ実装された駆動用ＩＣに内蔵あるいは表示パネル１０に電気的に接続された回路基板に実装された駆動用ＩＣに内蔵された構成や、走査線駆動回路１０４およびデータ線駆動回路１０１の双方が表示パネル１０とは別体の駆動用ＩＣに内蔵された構成を採用することができる。
【００２９】
本形態において、照明装置８は、表示パネル１０に重ねて配置された導光板８０と、導光板８０の側端面のうち、光入射部８０ａとされた側端面に沿って配置された複数の発光素子８９（光入射部の側端面と発光面・光出射面が対向配置された複数の発光素子８９）と、複数の発光素子８９が実装された光源用基板８８と、発光素子８９を駆動する光源駆動部２８０とを有している。複数の発光素子８９はいずれも、導光板８０の側端面のうち、光入射部８０ａとされた側端面に発光面が対向している。表示パネル１０は四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の他方側Ｘ２に位置する短辺であり、辺１０ｄはＸ軸方向の一方側Ｘ１に位置する短辺である。かかる形状に対応して、導光板８０は、４つの側端面８０１、８０２、８０３、８０４を有している。これらの側端面８０１〜８０４のうち、側端面８０１はＹ軸方向の一方側Ｙ１の長辺に位置し、側端面８０２はＸ軸方向の他方側Ｘ２の短辺に位置し、側端面８０３はＹ軸方向の他方側Ｙ２の長辺に位置し、側端面８０４はＸ軸方向の一方側Ｘ１の短辺に位置する。
【００３０】
（表示装置１００の具体的構成）
図２は、本発明の実施の形態１に係る表示装置１００の全体構成を示す説明図であり、図２（ａ）は表示装置１００の斜視図、図２（ｂ）は表示装置１００の分解斜視図である。図３は、本発明の実施の形態１に係る表示装置１００をさらに細かく分解したときの分解斜視図である。図４および図５は、本発明の実施の形態１に係る表示装置１００の要部の断面図であり、図４（ａ）は表示装置１００を図１（ａ）のＡ−Ａ′線に沿って切断したときの断面図、図４（ｂ）は表示装置１００を図１（ａ）のＢ−Ｂ′線に沿って切断したときの断面図、図５は表示装置１００を図１（ａ）のＣ−Ｃ’線に沿って切断したときの断面図である。
【００３１】
図２、図３および図４において、本形態の表示装置１００は、概ね、いわゆるバックライト装置と称せられる照明装置８と、この照明装置８の上面に重ねて配置された透過型の表示パネル１０とを備えている。本形態において、表示パネル１０は、透過型の液晶パネルからなる。表示装置１００において、照明装置８は、導光板８０の背面を覆って配置された金属製の第１フレーム４０（下金枠）と、第１フレーム４０の上方で表示パネル１０の端部を保持するとともに照明装置８を囲って保持する樹脂製の第２フレーム３０（樹脂フレーム）と、第２フレーム３０の上側（Ｚ軸方向の他方側Ｚ２）に配置された金属製の第３フレーム５０（上金枠）とを備えている。
【００３２】
第２フレーム３０は、表示パネル１０の端部を保持するとともに表示パネル１０の周りを囲む矩形枠状を有しており、本形態において、第２フレーム３０は、表示パネル１０の４つの辺に対応して辺毎に分割された４本のフレーム板３１〜３４で構成されている。本形態において、第２フレーム３０は黒色であり、光吸収部材として機能することによって、照明装置８内での迷光の発生を防止する。フレーム板３１〜３４は各々、フレーム板３１〜３４の外面側で下方に延在する側板部３１１、３２１、３３１、３４１と、側板部３１１、３２１、３３１、３４１の上端縁から内側に向かって屈曲した上板部３１５、３２５、３３５、３４５（端板部）と、上板部３１５、３２５、３３５、３４５の高さ方向の途中位置から内側に張り出した突板部３１２、３２２、３３２、３４２とを備えている。このため、フレーム板３１〜３４の内側には、突板部３１２、３２２、３３２、３４２によって上板部との間で段部（段差）３１３〜３４３が形成されており、かかる段部３１３、３２３、３３３、３４３と突板部３１２、３２２、３３２、３４２とによって表示パネル１０が保持されている。また、突板部３１２、３２２、３３２、３４２の下側には、照明装置８の導光板８０や発光素子８９等が配置されている。
【００３３】
第１フレーム４０は、ＳＵＳ板等の薄い金属板に対するプレス加工等により形成されてなる。第１フレーム４０は、底板部４５と、底板部４５の外周縁のうち、Ｙ軸方向の一方側Ｙ１を除く３つの外周縁から起立する３つの側板部４２〜４４とを備えており、上面が開口する矩形の箱状になっている。かかる第１フレーム４０の側板部４２〜４４の外側に第２フレーム３０の側板部３２１、３３１、３４１が重なっている。また、第２フレーム３０の側板部３１１は、第１フレーム４０のＹ軸方向の一方側Ｙ１を覆っている。
【００３４】
第３フレーム５０も、第１フレーム４０と同様、ＳＵＳ板等の薄い金属板に対するプレス加工等により形成されてなる。第３フレーム５０は、矩形の上板部５５（端板部）と、上板部５５の外周縁から下方に折れ曲がった４つの側板部５１〜５４とを備えており、下面が開口する矩形の枠状になっている。側板部５１〜５４は、第２フレーム３０の側板部３１１、３２１、３３１、３４１の外側を覆って重ねられている。上板部５５には、表示パネル１０から出射された光を出射する矩形の窓５５０が形成されており、上板部５５は、表示パネル１０の表示光出射側のうち、外周端部を全周にわたって覆っている。また、第３フレーム５０の上板部５５は、同時に、第２フレーム３０の上板部３１５、３２５、３３５、３４５（端板部）の上方を完全に覆って設置されている。
【００３５】
このように構成した第３フレーム５０、第２フレーム３０、および第１フレーム４０はボルト（図示せず）等により結合されて、内側に表示パネル１０や照明装置８を納めた状態で保持する。ここで、第２フレーム３０の突板部３１２、３２２、３３２、３４２の下面および上面には、図４に示すように、可撓性シート７１、７２が貼られている。このため、表示装置１００を組み立てた際、表示パネル１０は可撓性シート７２を介して突板部３１２、３２２、３３２、３４２に支持される。また、表示装置１００を組み立てた際、照明装置８の光学シート（拡散シート１８２、プリズムシート１８３、１８４等）は可撓性シート７１を介して浮きや位置ズレが生じないように押さえられている。
【００３６】
（表示パネル１０の構成）
図２〜図５に示すように、表示パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合わせるシール材１４とを備えている。かかる表示パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００３７】
本形態では、対向基板１２が表示光の出射側に配置され、素子基板１１は照明装置８の側に配置されている。また、対向基板１２において、素子基板１１と対向する面には、シール材１４の内縁に沿って、遮光層からなる額縁層（図示せず）が形成されている。表示パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、表示パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。表示パネル１０の上面には上偏光板１８が重ねて配置され、表示パネル１０の下面と照明装置８との間には下偏光板１７が配置されている。
【００３８】
本形態において、素子基板１１は対向基板１２より大きい。このため、素子基板１１は、Ｙ軸方向の一方側Ｙ１において対向基板１２の端部から張り出した張り出し部分１１０を有しており、かかる張り出し部分１１０の上面には複数枚のフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００３９】
（照明装置８の構成）
図６は、本発明の実施の形態１に係る表示装置１００の照明装置８に用いた発光素子８９および光源用基板８８等の説明図である。
【００４０】
図３〜図６に示すように、照明装置８は、表示パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００４１】
本形態の照明装置８において、導光板８０の側端面８０１、８０２、８０３、８０４のうち、Ｙ軸方向で相対向する２つの側端面８０１、８０３が光入射部８０ａとして利用されている。このため、複数の発光素子８９は、導光板８０の２つの光入射部８０ａ（側端面８０１、８０３）に発光面８９ａを対向させて配置し、２つの光入射部８０ａ（側端面８０１、８０３）の各々の一方端側から他方端側に向かって配列されている。また、光源用基板８８は、２つの光入射部８０ａ（側端面８０１、８０３）の各々に沿って延在した状態で配置されており、かかる２枚の光源用基板８８の各々の一方面８８１に複数の発光素子８９が実装されている。光源用基板８８の一方面８８１には、一方の端部にコネクター８７（図３、図６参照）が実装されており、かかるコネクター８７は、光源用基板８８を介して発光素子８９に駆動電流を供給するのに用いられている。
【００４２】
図４に示すように、本形態において、導光板８０は、アクリル樹脂やポリカーボネート樹脂等からなる透光性の樹脂板であり、導光板８０の下面８０ｃと第１フレーム４０の底板部４５との間には反射シート１８７が重ねて配置されている。また、導光板８０の上面（光出射面８０ｂ）と表示パネル１０との間には拡散シート１８２、プリズムシート１８３、１８４等の光学シートが重ねて配置されている。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、表示パネル１０の正面方向にピークを持つような指向性が付与されている。導光板８０において、反射シート１８７が位置する側の面には、凹状の微細な窪みや、散乱部材の印刷層からなる散乱パターンが形成されており、本形態において、散乱パターンの密度は、発光素子８９から離れるに従って高くなっている。このため、導光板８０から出射される照明光の強度分布は、発光素子８９からの距離にかかわらず、均一化されている。かかる散乱パターンとして、本形態では、導光板８０の下面８０ｃに微細な凹部８０ｅが多数設けられている。
【００４３】
第１フレーム４０の底板部４５は、導光板８０において光入射部８０ａとなる側端面８０１、８０３が位置する側と重なる領域において、導光板８０の下面８０ｃと第１フレーム４０との間に隙間が確保できるように段差が部分的に形成されており、導光板８０に向けて折れ曲がっている。それにより、導光板８０の下面８０ｃと底板部４５との間に反射シート１８７と光源支持部材６０の下板部６１とを隙間の間で挟持可能になっている。また、第１フレーム４０の底板部４５を導光板８０に向けて部分的に折り曲げたことによって第１フレーム４０の背面側には凹部が形成されるので、第１フレーム４０の底板部４５の下面（背面）までフレキシブル配線基板２００を折り曲げて延在させるとともに、かかる凹部内に回路基板２５０が凹部の深さ内に収納されるように配置されている。このため、照明装置８の薄型化を図ることができる。
【００４４】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７の一方面８８１側に、配線パターンやランドが絶縁層とともに設けられた構造を有している。かかる構成は、例えば、金属板８８７の一方面８８１側に、樹脂基材層、配線パターンおよび絶縁保護層等がこの順に積層されたフレキシブル配線基板８８８を貼り合わせることにより実現することができる。従って、金属板８８７と配線パターン及び発光素子８９のチップが実装されるランドは電気的に絶縁性が確保されている。本形態において、金属板８８７はアルミニウム板からなり、金属板８８７は、光源用基板８８の機械的強度を確保するとともに、発光素子８９から発熱される熱の放熱板としても機能する。
【００４５】
ここで、各々の光源用基板８８の他方面８８２側には、光源用基板８８を保持する光源支持部材６０が各々配置されており、光源支持部材６０は、第１フレーム４０および第２フレーム３０の間に配置されて保持されている。本形態において、光源支持部材６０は、光源用基板８８の他方面８８２に沿って延在する棒状の金属部品であり、光源用基板８８の他方面８８２の全面と支持板部６２の基板保持面６２０において面接触状態で密着して固定されている。また、光源支持部材６０は、第１フレーム４０の底板部４５に重なる下板部６１と、下板部６１の幅方向の途中位置から上方に突出した壁面を構成する支持板部６２とを有している。また、光源支持部材６０は、支持板部６２から導光板８０が位置する側とは反対側に折れ曲がった上板部６３を支持板部６２の上端（下板部６１と反対の側）側に備えており、上板部６３は、ネジ等によって第３フレーム５０の上板部５５及び第２フレーム３０の上板部３１５、３２５の少なくともいずれか一方に固定されている。
【００４６】
かかる構成の光源支持部材６０において、支持板部６２の導光板８０が位置する側の面は、光源用基板８８を保持する基板保持面６２０になっており、かかる基板保持面６２０には、光源用基板８８がネジ（図示せず）等によって固定されている。
【００４７】
（発光素子８９からの放熱構造）
このように構成した照明装置８において、発光素子８９の温度が上昇すると、発光素子８９における発光効率の低下、輝度ムラ、寿命低下が発生する。従って、本形態では、まず、発光素子８９が実装された光源用基板８８の他方面８８２の側（背面側）に金属製の光源支持部材６０を面接触が可能な状態に設け、光源支持部材６０を介して第１フレーム４０に熱を逃がすようになっている。
【００４８】
一方、本形態では、組み立て作業の高効率化や、部材相互の位置精度の向上等の目的で、光源支持部材６０の光出射面側を覆って配置される上板部３１５、３２５、３３５、３４５（端板部）、および光源支持部材６０と導光板８０とを外側で囲む側板部３１１、３２１、３３１、３４１を備えた樹脂製の第２フレーム３０が用いられており、かかる第２フレーム３０は熱伝導性が低い。
【００４９】
そこで、本形態では、図４に示すように、第２フレーム３０は、光源支持部材６０との間に閉鎖空間８ａを区画しており、かかる閉鎖空間８ａは、光源支持部材６０の延在方向に沿って延在している。本形態では、第１フレーム４０においてＹ軸方向の一方側Ｙ１には側板部が設けられていないため、図４（ａ）に示すように、Ｙ軸方向の一方側Ｙ１に形成された閉鎖空間８ａは、光源支持部材６０の下板部６１、支持板部６２および上板部６３と、第２フレーム３０の側板部３１１（および上板部３１５の一部）とによって囲まれた閉鎖空間８ａを構成している。これに対して、第１フレーム４０においてＹ軸方向の他方側Ｙ２には側板部４２が設けられているため、図４（ｂ）に示すように、Ｙ軸方向の他方側Ｙ２に形成された閉鎖空間８ａは、光源支持部材６０の下板部６１、支持板部６２および上板部６３と、第１フレーム４０の側板部４２（および第２フレーム３０の上板部３２５の一部）とによって囲まれた閉鎖空間８ａを構成している。また、図２および図３から分かるように、Ｙ軸方向の一方側Ｙ１およびＹ軸方向の他方側Ｙ２のいずれにおいても、閉鎖空間８ａの延在方向の両端（延長線）には、第２フレーム３０の側板部３３１、３４１、第１フレーム４０の側板部４３、４４、および第３フレーム５０の側板部５３、５４が位置している。
【００５０】
また、本形態では、閉鎖空間８ａを外部と連通させるにあたって、図２および図３に示すように、閉鎖空間８ａのＸ軸方向の両端部の各々では、閉鎖空間８ａの延在方向（延長線）において突き当たる第１フレーム４０の側板部４３、４４に、側板部４３、４４を貫通する切り欠き状の開口部４０９が形成されている。また、閉鎖空間８ａのＸ軸方向の両端部の各々では、閉鎖空間８ａの延在方向（延長線）において突き当たる第２フレーム３０の側板部３３１、３４１に、側板部３３１、３４１を貫通する切り欠き状の開口部３０９が形成されている。さらに、閉鎖空間８ａのＸ軸方向の両端部の各々では、閉鎖空間８ａの延在方向（延長線）において突き当たる第３フレーム５０の側板部５３、５４に、側板部５３、５４を貫通する切り欠き状の開口部５０９が形成されている。また、第１フレーム４０の開口部４０９および第３フレーム５０の開口部５０９は、第２フレーム３０の開口部３０９と重なっている。このため、図２に示すように、照明装置８を組み立てると、照明装置８には、図５に示すように、第１フレーム４０に形成された開口部４０９と、第２フレーム３０に形成された開口部３０９と、第３フレーム５０に形成された開口部５０９とにより貫通部８０９が構成され、かかる貫通部８０９は、閉鎖空間８ａの延在方向（Ｘ軸方向）の両端部で閉鎖空間８ａに連通し、かつ、閉鎖空間８ａの延在方向（延長線）に向けて開口された構成とされている。本形態において、貫通部８０９はいずれも、第２フレーム３０の側板部３３１、３４１等の延在方向に所定の幅寸法をもって開口しており、スリット状の隙間と違って開口面積が大である。従って、本形態において、貫通部８０９の開口面積は、閉鎖空間８ａの開口面積（断面積）以上に設定してある。
【００５１】
それ故、図１（ａ）に矢印Ｈで示すように、本形態の照明装置８および表示装置１００では、発光素子８９の熱を、光源支持部材６０および閉鎖空間８ａを介して貫通部８０９（開口部３０９、４０９、５０９）から外部に逃がすことができ、かかる熱は、その後、テレビ用のフレーム２０１０から電子機器２０００の外部に放出される。
【００５２】
（本形態の主な効果）
以上説明したように、本形態の照明装置８および表示装置１００では、導光板８０の光入射部８０ａに沿って複数の発光素子８９が配列され、かかる複数の発光素子８９は、光入射部８０ａに沿って延在する光源用基板８８の一方面８８１側に実装されている。ここで、光源用基板８８の他方面８８２側には金属製の光源支持部材６０が重ねて配置されているため、発光素子８９の熱を光源用基板８８、光源支持部材６０および金属製の第１フレーム４０によって逃がすことができる。
【００５３】
また、本形態では、光源支持部材６０に対して光出射面側に被さる上板部３１５、３２５、３３５、３４５（端板部）、および光源支持部材６０と導光板８０とを外側で囲む側板部３１１、３２１、３３１、３４１を備えた樹脂製の第２フレーム３０が用いられ、かかる第２フレーム３０は熱伝導性が低い。但し、第２フレーム３０は、光源支持部材６０との間に光源支持部材６０の延在方向に沿って延在する閉鎖空間８ａを区画しているとともに、第２フレーム３０には、第２フレーム３０の側板部３３１、３４１を貫通して閉鎖空間８ａに連通する開口部３０９が設けられている。このため、発光素子８９の熱を閉鎖空間８ａおよび開口部３０９を介して逃がすことができる。また、第１フレーム４０は、第２フレーム３０の側板部３３１、３４１に重なる側板部４３、４４を備えているが、第１フレーム４０の側板部４３、４４には、第２フレーム３０の開口部３０９と重なる位置に開口部４０９が形成されている。また、第３フレーム５０は、第２フレーム３０の側板部３３１、３４１に重なる側板部５３、５４を備えているが、第３フレーム５０の側板部５３、５４には、第２フレーム３０の開口部３０９と重なる位置に開口部５０９が形成されている。このため、照明装置８には、閉鎖空間８ａに連通する貫通部８０９が形成されているので、発光素子８９の熱を閉鎖空間８ａおよび貫通部８０９を介して逃がすことができる。それ故、発光素子８９の発熱を低く抑えることができるので、発光素子８９の発光効率の低下、輝度ムラ、寿命低下等の発生を抑制することができる。
【００５４】
また、貫通部８０９（開口部３０９、４０９、５０９）は、閉鎖空間８ａの延在方向で離間する複数個所に設けられているため、閉鎖空間８ａに空気の出入りが発生しやすい。特に本形態では、貫通部８０９（開口部３０９、４０９、５０９）は、閉鎖空間８ａの延在方向の両端部に設けられ、しかも、閉鎖空間８ａの延長線上に向かって開口しているため、閉鎖空間８ａに空気の出入りが発生しやすい。それ故、発光素子８９の熱を閉鎖空間８ａおよび貫通部８０９を介して外部に逃がし効率よく放熱することができる。
【００５５】
［実施の形態２］
図７は、本発明の実施の形態２に係る表示装置１００の照明装置８の説明図であり、図７（ａ）は表示装置１００における貫通部８０９の配置を示す説明図、図７（ｂ）は図７（ａ）のＤ−Ｄ’線に沿って切った表示装置１００における貫通部８０９付近の断面図である。図８は本発明の実施の形態２に係る表示装置をさらに細かく分解したときの分解斜視図である。なお、本形態の基本的な構成は、実施の形態１と同様であることから、共通する部分には同一の符号を付して、それらの説明を省略する。
【００５６】
実施の形態１においては、Ｙ軸方向の両側（複数の発光素子８９が配列される側）の各々に構成された閉鎖空間８ａのいずれにおいても、閉鎖空間８ａの延在方向の両端部において、閉鎖空間８ａが延在する延長線で突き当たる部位に相当する各フレームの側面を貫通させて開口部を形成している。これに対して、本形態では、図７（ａ）および図８に示すように、Ｙ軸方向の両側に形成された２つの閉鎖空間８ａのうち、Ｙ軸方向の他方側Ｙ２（テレビ画面の上方）に形成された閉鎖空間８ａにおいては、貫通部８０９が閉鎖空間８ａの延在方向の両端部において閉鎖空間８ａの延在方向に交差する上方向に開口している。かかる構成によれば、熱が上方に逃げやすいという性質と、Ｙ軸方向の他方側Ｙ２に設けられた貫通部８０９の開口方向とが対応しているので、発光素子８９の熱を効率よく逃がすことができる。
【００５７】
ここで、Ｙ軸方向の他方側Ｙ２に形成された閉鎖空間８ａにおいて、閉鎖空間８ａの延在方向に交差する上方向に貫通部８０９が開口している構成は、図７（ｂ）に示すように、第１フレーム４０の側板部４２、第２フレーム３０の側板部３２１および第３フレーム５０の側板部５２の各々に開口部３０９、４０９、５０９を設けることによって実現することができる。
本形態では、Ｙ軸方向の他方側Ｙ２（テレビ画面の上側）に開口した貫通部８０９の平面形状は図８に示すように四角形であるが、これに限定されない。図９は本発明の実施の形態２に係る変形例の表示装置をさらに細かく分解したときの分解斜視図である。図９に示すように、第１フレーム４０の側板部４２、第２フレーム３０の側板部３２１および第３フレーム５０の側板部５２をそれぞれ切り欠いた形状の開口部３０９、４０９、５０９としてもよい。これによれば、側板部４２、３２１、５２のそれぞれに四角形の穴を貫通させる場合に比べて、容易に開口部（貫通部）を形成できる。
【００５８】
［実施の形態３］
図１０は、本発明の実施の形態３に係る表示装置１００の照明装置８に設けた貫通部８０９の説明図である。なお、本形態の基本的な構成は、実施の形態１と同様であることから、共通する部分には同一の符号を付して、それらの説明を省略する。
【００５９】
実施の形態２においては、Ｙ軸方向の両側に形成された２つの閉鎖空間８ａのいずれにおいても、貫通部８０９は、開口方向は相違するが、閉鎖空間８ａの両端部に設けられている。
【００６０】
これに対して、本形態では、図１０に示すように、Ｙ軸方向の両側に形成された２つの閉鎖空間８ａのうち、Ｙ軸方向の他方側Ｙ２に形成された閉鎖空間８ａにおいて、貫通部８０９は、閉鎖空間８ａの延在方向の途中位置において、図３等を参照して説明した第１フレーム４０、第２フレーム３０および第３フレーム５０の側板部４２、３２１、５２に設けた開口部によって形成されている。かかる構成によれば、熱が上方に逃げやすいという性質と、Ｙ軸方向の他方側Ｙ２（テレビ画面の上側）に形成された貫通部８０９の開口方向とが対応しているので、発光素子８９の熱を効率よく逃がすことができる。また、Ｙ軸方向の他方側Ｙ２（上側）に形成された貫通部８０９が閉鎖空間８ａの延在方向の途中位置で上方向に開口している構成であれば、例えば、テレビ用のフレーム２０１０において、Ｘ軸方向の端部から内側に通気孔が設けられている場合、貫通部８０９の開口位置をテレビ用のフレーム２０１０の通気孔の位置に対応させることができる。
【００６１】
［実施の形態４］
図１１は、本発明の実施の形態４に係る表示装置１００の照明装置８に設けた貫通部８０９の説明図である。なお、本形態の基本的な構成は、実施の形態１と同様であることから、共通する部分には同一の符号を付して、それらの説明を省略する。
【００６２】
図１１に示すように、Ｙ軸方向の両側に形成された２つの閉鎖空間８ａのいずれにおいても、貫通部８０９が閉鎖空間８ａの延在方向の途中位置で、閉鎖空間８ａの延在方向と交差する方向に開口している構成を採用してもよい。かかる構成によれば、例えば、テレビ用のフレーム２０１０において、Ｘ軸方向の端部から内側に通気孔が設けられている場合、貫通部８０９の開口位置をテレビ用のフレーム２０１０の通気孔の位置に対応させることができる。
【００６３】
［実施の形態５］
図１２は、本発明の実施の形態５に係る表示装置１００の照明装置８に設けた貫通部８０９の説明図である。なお、本形態の基本的な構成は、実施の形態１と同様であることから、共通する部分には同一の符号を付して、それらの説明を省略する。
【００６４】
実施の形態５は、上記実施の形態３に対して、Ｙ軸方向の両側に形成された２つの閉鎖空間８ａのうち、Ｙ軸方向の一方側Ｙ１に形成された閉鎖空間８ａにおいて、貫通部８０９は、閉鎖空間８ａの延在方向の両端側と中央部とにおいて、図３等を参照して説明した第１フレーム４０、第２フレーム３０および第３フレーム５０の側板部４３、４４、３１１、３３１、３４１、５１、５３、５４に形成された開口部３０９、４０９、５０９によって構成されている。かかる構成によれば、テレビ用のフレーム２０１０の下側（Ｙ１方向）に向かって開口する中央部の貫通部８０９から空気を閉鎖空間８ａに取り込み、発光素子８９の発熱によって暖められた空気を閉鎖空間８ａの両端側に開口した貫通部８０９から放出させることができる。つまり、発光素子８９の発熱をより効率よく逃がすことができる。なお、テレビ用のフレーム２０１０の下側（Ｙ１方向）に向かって開口する貫通部８０９の数は１つに限定されず、実施の形態４に示すように複数（二つ）としてもよい。
また、電子機器（液晶テレビ）２０００に用いられる表示装置１００の大きさに応じて、複数の発光素子８９が実装された光源用基板８８を、導光板８０の光入射部８０ａに沿って複数並べて対向配置することが考えられる。その場合には、隣り合って並べられた光源用基板８８の間に相当する位置に貫通部８０９を形成することが望ましい。光源用基板８８の配置に係らず貫通部８０９の位置を設定する場合に比べて、光源用基板８８ごとの放熱ばらつきを緩和することができる。
さらには、辺１０ａ側に開口する貫通部８０９の開口面積に比べて、閉鎖空間８ａの両端側に開口する貫通部８０９の開口面積を大きくすることで、空気が閉鎖空間８ａに流入し易くなり高い放熱効果が得られる。
【００６５】
［実施の形態６］
図１３は、本発明の実施の形態６に係る表示装置１００の要部の断面図であり、図９（ａ）は図４（ａ）に示すＡ−Ａ′断面に相当する断面図、図１３（ｂ）は図４（ｂ）に示すＢ−Ｂ′断面に相当する断面図である。なお、本形態の基本的な構成は、実施の形態１と同様であることから、共通する部分には同一の符号を付して、それらの説明を省略する。
【００６６】
上記の実施の形態１〜５では、光源用基板８８において発光素子８９が実装されている一方面８８１は、導光板８０の光入射部８０ａに対向している構成であったが、本形態では、図１３に示すように、光源用基板８８において発光素子８９が実装されている一方面８８１は、導光板８０の光入射部８０ａに９０°の角度を成して交差する方向に向いている。但し、発光素子８９は、光源用基板８８の一方面８８１と平行な方向に発光面８９ａを向けて実装されている。従って、発光素子８９は、光入射部８０ａから導光板８０の内部に光源光を入射させることができる。
【００６７】
かかる構成の表示装置１００および照明装置８でも、実施の形態１〜５と同様、第２フレーム３０は、光源支持部材６０との間に閉鎖空間８ａを区画しており、かかる閉鎖空間８ａは、光源支持部材６０の延在方向に沿って延在している。また、本形態でも、実施の形態１〜５と同様、閉鎖空間８ａに連通する貫通部８０９（図１〜図３等を参照）が形成されているので、発光素子８９で発生した熱を効率よく逃がすことができる。
【００６８】
なお、本形態では、光源支持部材６０において、基板保持面６２０は、下板部６１に形成されており、導光板８０の光入射部８０ａに９０°の角度を成して交差する方向に向いている。また、光源支持部材６０では、下板部６１から垂直に起立する垂直板部６８が導光板８０の光入射部８０ａに対向している。このため、図１３（ａ）に示すように、Ｙ軸方向の一方側Ｙ１に形成された閉鎖空間８ａは、光源支持部材６０の下板部６１、垂直板部６８および上板部６３と、第２フレーム３０の側板部３１１および上板部３１５とによって区画されている。これに対して、図１３（ｂ）に示すように、Ｙ軸方向の他方側Ｙ２に形成された閉鎖空間８ａは、光源支持部材６０の下板部６１、垂直板部６８および上板部６３と、第２フレーム３０の上板部３２５と、第１フレーム４０の側板部４２とによって区画されている。また、図２および図３から分かるように、Ｙ軸方向の一方側Ｙ１およびＹ軸方向の他方側Ｙ２のいずれにおいても、閉鎖空間８ａの延在方向の両端には、第２フレーム３０の側板部３３１、３４１、第１フレーム４０の側板部４３、４４、および第３フレーム５０の側板部５３、５４が位置し、これらの側板部に開口部３０９、４０９、５０９が形成されている。
【００６９】
［他の実施の形態］
上記実施の形態では、第１フレーム４０の長辺側の側板部はＹ軸方向の他方側Ｙ２のみに側板部４２として設けられていたが、第１フレーム４０の双方の長辺側（Ｙ軸方向の一方側Ｙ１および他方側Ｙ２）に側板部を設けてもよい。この場合、図４（ａ）に示したＡ−Ａ′断面は、概ね、図４（ｂ）に示すように構成される。また、第１フレーム４０の双方の長辺側（Ｙ軸方向の一方側Ｙ１および他方側Ｙ２）に側板部を設けない構成を採用してもよく、この場合、図４（ｂ）に示したＢ−Ｂ′断面は、概ね、図４（ａ）に示すように構成される。
【００７０】
上記実施の形態では、貫通部８０９（開口部３０９、４０９、５０９）の開口面積は、図４等に示す閉鎖空間８ａの断面積（開口面積）と同様であってもよいが、貫通部８０９（開口部３０９、４０９、５０９）の開口面積が、図４等に示す閉鎖空間８ａの断面積（開口面積）より大である方が、放熱効果が高いので好ましい。
【００７１】
上記実施の形態では、貫通部８０９が閉鎖空間８ａの延長線上に設けられていたが、貫通部８０９と閉鎖空間８ａとが空間的に繋がっていれば、互いにずれた位置に設けてもよい。例えば、導光板８０の側端面８０２と第１フレーム４０の側板部４３、および導光板８０の側端面８０４と第１フレーム４０の側板部４４の間に空間を設け、該空間を介して貫通部８０９と閉鎖空間８ａとを接続してもよい。かかる構成によれば、閉鎖空間８ａの延長線上に貫通部８０９が存在しなくても、放熱効果を維持することができる。この場合、貫通部８０９（開口部３０９、４０９、５０９）をフレームコーナー部から離すことができ、フレームコーナー部の強度を上げ、表示装置１００の剛性を向上させることができる。
【００７２】
また、該空間を介して貫通部８０９（開口部）と閉鎖空間８ａとを繋げた場合、貫通部８０９（開口部）の面積を閉鎖空間８ａの断面積より大きく設定すれば、貫通部８０９と閉鎖空間８ａとの間の空間を利用して放熱効果を上げることもできる。
【００７３】
また、貫通部８０９（開口部）は、発光素子８９に電源を供給するためのケーブルを引き回す為の開口部として利用してもよく、この場合、ケーブルを通す開口部を別途設ける必要がなくなるため、表示装置１００の強度を低下させずに、配線と放熱の双方を実現することができる。
【００７４】
上記実施の形態では、貫通部８０９（開口部）は、表示装置１００の側端面にのみ設けたが、表示装置１００の周辺部の表面側（各フレームにおける上端面や上板部／Ｚ軸方向の他方側Ｚ２）、あるいは裏面側（Ｚ軸方向の一方側Ｚ１）に貫通部８０９を設けてもよい。この場合は、例えば、表示装置１００の裏面等に開口部を配置させて放熱させることができる。また、側端面に設けた開口部を、隣接する面に設けた開口部と繋げ、より広く開口させることにより、放熱効果を高めてもよい。
【００７５】
上記実施の形態では、第１フレーム４０、第２フレーム３０および第３フレーム５０を有する構成であったが、第１フレーム４０および第２フレーム３０の２つのフレームを有する場合に適用してもよく、この場合も、閉鎖空間８ａを構成するフレームの側板部（第１フレーム４０の側板部および第２フレーム３０の側板部のうちの少なくとも一方の側板部）に開口部を設け閉鎖空間８ａを外部に連通させればよい。
【００７６】
また、第１フレーム４０および第３フレーム５０の２つのフレームを有する場合に適用してもよく、この場合も、閉鎖空間８ａを構成するフレームの側板部（第１フレーム４０の側板部および第３フレーム５０の側板部のうちの少なくとも一方の側板部）に開口部を設け閉鎖空間８ａを外部に連通させればよい。
【００７７】
［電子機器への搭載例］
上述実施形態では、表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した表示装置１００を用いてもよい。
【符号の説明】
【００７８】
８・・照明装置、１０・・表示パネル、３０・・第２フレーム、４０・・第１フレーム、４２、４３、４４・・第１フレームの側板部、５０・・第３フレーム、５１、５２、５３、５４・・第３フレームの側板部、５５・・第３フレームの上板部（端板部）、６０・・光源支持部材、８０・・導光板、８０ａ・・光入射部、８０ｂ・・光出射面、８８・・光源用基板、８９・・発光素子（光源）、１００・・表示装置、３０９、４０９、５０９・・開口部、３１１、３２１、３３１、３４１・・第２フレームの側板部、３１５、３２５、３３５、３４５・・第２フレームの上板部（端板部）、２０００・・電子機器（液晶テレビ）。
【図１】
0005811814.tif 000002
【図２】
0005811814.tif 000003
【図３】
0005811814.tif 000004
【図４】
0005811814.tif 000005
【図５】
0005811814.tif 000006
【図６】
0005811814.tif 000007
【図７】
0005811814.tif 000008
【図８】
0005811814.tif 000009
【図９】
0005811814.tif 000010
【図１０】
0005811814.tif 000011
【図１１】
0005811814.tif 000012
【図１２】
0005811814.tif 000013
【図１３】
0005811814.tif 000014